(57)【要約】【課題】個人でも家屋内など所定の場所で侵入者、火災、緊急を要する状況を検知し通知するセキュリティシステムを容易に設置できるようにするものである。【解決手段】据置型電話機の子機、或は親機、或は携帯電話・スマートホンに、人を感知するセンサー、一定時間人の動きがないことを感知するセンサー、温度を感知するセンサー、煙を感知するセンサー、その他の状況を感知するセンサー（状況を感知するセンサーと称する）を備える。  状況を感知するセンサーが人を検知した、或はセンサーが一定時間の間に人の動きがないことを感知した、或はセンサーが所定の温度を感知した、或はセンサーが所定の煙量を検知した、或はセンサーが感知する状況が所定の状況に達した場合、予め登録した電話番号に自動で発呼し、予め登録した音声メッセージを送信する。【選択図】図１
2017041863.tif 000002
【特許請求の範囲】
【請求項１】
電話回線に接続可能な電話機（据置型電話機）の電話子機（子機）、或は電話親機（親機）、或は子機・親機共、或は携帯電話・スマートホンと称せられる移動体通信機器（以降、移動体通信機器）に人感知センサーを備え、人の存在を検知すると人の操作なしで予め登録した電話番号を発呼し、通話状態になると予め登録した音声メッセージを発信する電話装置。
【請求項２】
据置型電話機の子機、或は親機、或は子機・親機共、或は移動体通信機器に人感知センサーを備え、予め登録した時間間隔の間に人の動きを検知しないと人の操作なしで予め登録した電話番号を発呼し、通話状態になると予め登録した音声メッセージを発信する電話装置。
【請求項３】
据置型電話機の子機、或は親機、或は子機・親機共、或は移動体通信機器に温度感知センサーを備え、予め登録した温度に達すると人の操作なしで予め登録した電話番号を発呼し、通話状態になると予め登録した音声メッセージを発信する電話装置。
【請求項４】
据置型電話機の子機、或は親機、或は子機・親機共、或は移動体通信機器に煙感知センサーを備え、予め登録した量の煙を検知すると人の操作なしで予め登録した電話番号を発呼し、通話状態になると予め登録した音声メッセージを発信する電話装置。
【請求項５】
据置型電話機の子機、或は親機、或は子機・親機共、或は移動体通信機器に上記の他の状況（放射線量、他）を感知するセンサーを備え、予め登録した状況に至ると人の操作なしで予め登録した電話番号を発呼し、通話状態になると予め登録した音声メッセージを発信する電話装置。
【請求項６】
上記の据置型電話機の子機、或は親機、或は子機・親機共、或は移動体通信機器に集音器を備え、上記の通話状態になると集音器の音声を発信する電話装置。
【請求項７】
上記の電話通信終了後、指定された時間を経過するまでは電話発呼し通話が必要とされる状態であっても電話発呼・音声メッセージ送信しない電話装置。
【発明の詳細な説明】
【技術分野】
【０００１】  本発明は、電話装置、電話システムに関するものであ。
【背景技術】
【０００２】  従来の侵入者を検知する機器として防犯カメラがあるが侵入者を記録するものの侵入時に侵入を通知することができない。窓などの破壊により侵入する場合については破壊を検知し警告ブザーを鳴らし、所定のセキュリティ会社に通知する機器はあるものの設置工事が大がかりである。また火災報知機、煙報知機は存在するものの火災、煙を感知した場合に、その状況を電話で通知する適切な機器が存在しない。【０００３】  一人暮らしの高齢者が、日常の活動を行っていない状態にあることを検知し所定の電話番号に発呼し、通知する為の適切な機器が存在しない。
【発明の概要】
【発明が解決しようとする課題】
【０００４】  以上に述べた侵入者を検知する機器では不法な侵入者を検知し、通知する機器を個人が設置するのは困難であった。通知機器として、多くの家庭では据置型電話機、或は携帯電話・スマートホンが設置、保有されているものの人手によるダイアル操作が必要である。【０００５】  単身住まいで動けなくなった高齢者が長い時間発見されない状態に置かれるがケースが見受けられる。単身住まいであるため誰かの訪問を待たないと動けない状態の発見ができない。また電話機が備えられていても使用できる状態でないため使用されることがない。【０００６】  本発明は、個人でも家屋内など所定の場所で侵入者、火災、緊急を要する状況を検知し通知するセキュリティシステムを容易に設置できるようにするものである。
【課題を解決するための手段】
【０００７】  本発明は、上記目的を達成するために、据置型電話機の子機、或は親機、或は携帯電話・スマートホンに、人を感知するセンサー、一定時間人の動きがないことを感知するセンサー、温度を感知するセンサー、煙を感知するセンサー、その他の状況を感知するセンサー（左記の５つのセンサーを、状況を感知するセンサーもしくはセンサーと称する）の何れか或は全てを備える。【０００８】  据置型電話機の子機、或は親機、或は携帯電話・スマートホンに装備した状況を感知するセンサーが人を検知した、或はセンサーが一定時間の間に人の動きがないことを感知した、或はセンサーが所定の温度を感知した、或はセンサーが所定の煙量を検知した、或はセンサーが感知する状況が所定の状況に達した、ことを知らせる先の電話番号を登録する機能を備える。また通知するメッセージを登録する機能を備える。【０００９】  据置型電話機の子機、或は親機、或は携帯電話・スマートホンに手動による発呼・音声送信（電話通信）の操作を行うことなく電話通信する機能を備える。【００１０】  据置型電話機の子機、或は親機、或は携帯電話・スマートホンに備えた状況を感知するセンサーが、上記の電話通信を必要とする状況を感知すると予め登録された電話番号に発呼し通話接続すると、予め登録されたメッセージを発信する。また、集音器で収集した音声を送信する。
【発明の効果】
【００１１】  上述したように、本発明の状況を感知するセンサーを備えた電話機を設置することで家屋などへの侵入者があったこと、一人暮らしの高齢者の動けない状態にあること、火災発生などの状況を感知し通報する簡便なセキュリティシステムを構築することを可能とする。
【図面の簡単な説明】
【００１２】
【図１】  本発明の概念図
【図２】  本発明のコードレス電話子機の機能構成図
【図３】  本発明のコードレス電話子機制御部の機能構成図
【発明を実施するための形態】
【００１３】  以下、本発明を実施するための形態について、図面を参照して説明する。
【００１４】  図１を参照して、本発明の実施の概要を説明する。本発明の、据置型電話機の子機としてコードレス電話子機２、据置型電話機の親機としてコードレス電話親機３とする。コードレス電話子機２に備えられたセンサーが人１を感知すると、コードレス電話親機３を通して予め登録された電話番号の固定電話４或は携帯電話・スマートホン５に予め登録されたメッセージを送信するものである。
【００１５】  なお、図１、図２、図３ではコードレス電話子機２に本発明の状況を感知するセンサーを備えているが子機に限定するものではない。据置型電話機の親機、或は携帯電話・スマートホンに状況を感知するセンサーを備える場合は、発明を実施するための形態で説明するところの親機Ｉ／Ｆを介して発呼するのではなく自装置で発呼、通信する。
【００１６】  図２は、本発明のコードレス電話子機２の構成図で、図３はコードレス電話子機１の制御部１７の構成を示す図である。図２、図３を参照して詳細に説明する。
【００１７】  コードレス電話子機２の電話番号他登録部１０は状況を感知するセンサーからの情報判定により電話通知が必要な状況になったとき、通知する先の電話番号を予め登録する。また左記状況で電話番号に電話通信し通話終了した後においても同じ状況が継続し、電話通信が必要な状況にあっても発呼・通話しない再通信不可時間を登録する。
【００１８】  コードレス電話子機２の音声メッセージ他登録部１１は通話状態になったとき送信する音声メッセージを予め登録する。また左記の音声メッセージの他に集音部１６で収集した音声をリアルタイムに送信するか否かの指示の登録をする。
【００１９】  人感知センサー部１２は、人の存在を感知する、或は指定された時間人の動きがないことを感知する。
【００２０】  温度感知センサー部１３は、温度を測定し温度が一定以上に達したことを感知する。
【００２１】  煙感知センサー部１４は、煙を感知し一定量以上の煙を感知する。
【００２２】  その他状況感知センサー部１５は、上記以外の状況（例えば放射線量）を検知し所定の状況に達したことを感知する。
【００２３】  集音部１６は、コードレス電話子機２から離れた場所からの音声についても集音する。集音部１６は電話機の音声入力部に置き換えてもよい。
【００２４】  次に、状況を感知するセンサー１２（１３，１４，１５）からの情報判定３０により自動で発呼しメッセージを送信する手順を説明する。コードレス電話子機制御部のセンサーからの情報判定３０では、状況を感知するセンサー１２（１３，１４，１５）からの情報を監視・判定し、電話通信が必要な状況に達したか否かを判定する。電話通信が不要と判定すると同じ監視・判定を繰り返す。
【００２５】  電話通信が必要と判定すると、今回のセンサーからの情報判定による電話通信が最初であること、或は最初の電話通信が行われて通話終了し且つ電話番号他登録部１０で登録された再通話不可時間を経過している場合に電話通信を行う。左記でない場合は、状況を感知するセンサー１２（１３，１４，１５）からの情報の監視・判定を繰り返す。
【００２６】  電話通信が必要な場合は、電話番号他登録部１０で登録された電話番号を取得する（電話番号取得３２）し、発呼指示３３を親機Ｉ／Ｆに送る。
【００２７】  回線状態判定３４で、発呼後電話回線接続状態になると、音声メッセージ他登録部１１で登録した音声メッセージを取得する。取得した音声メッセージを親機Ｉ／Ｆ通して送信する。
【００２８】  音声メッセージ他登録部１１で登録した音声メッセージを送信した後、集音部１６で収集した音声をリアルタイムに送信する指示の登録があると、集音部１６で収集した音声を音声メッセージとして送信する。集音部１６で収集した音声をリアルタイムに送信しない指示の登録があると回線状態の判定３４からの処理を繰り返す。
【符号の説明】
【００２９】  ２  コードレス電話子機
３  コードレス電話親機
【図１】
2017041863.tif 000003
【図２】
2017041863.tif 000004
【図３】
2017041863.tif 000005